(57)【要約】  緊急医療デバイスが、上記デバイスの１つ又は複数のサブシステムに電力供給するよう構成される電源１２を含む。ユーザ活動検出モジュール５６は、上記１つ又は複数のサブシステムにおけるユーザ活動を検出するよう構成され、臨床活動検出モジュール５４は、上記１つ又は複数のサブシステムにおける臨床活動を検出するよう構成される。制御モジュール３０は、上記１つ又は複数のサブシステムに結合され、上記ユーザ活動検出モジュール及び上記臨床活動検出モジュールの少なくとも１つにおいて検出される活動に基づき、上記１つ又は複数のサブシステムの電源状態を変えるよう構成される。
2016519977.tif 000002
【特許請求の範囲】
【請求項１】
緊急医療デバイスであって、
前記デバイスの１つ又は複数のサブシステムに電力供給するよう構成される電源と、
前記１つ又は複数のサブシステムにおけるユーザ活動を検出するよう構成されるユーザ活動検出モジュールと、
前記１つ又は複数のサブシステムにおける臨床活動を検出するよう構成される臨床活動検出モジュールと、
前記１つ又は複数のサブシステムに結合され、前記ユーザ活動検出モジュール及び前記臨床活動検出モジュールの少なくとも１つにおいて検出される活動に基づき、前記１つ又は複数のサブシステムの電源状態を変えるよう構成される制御モジュールとを有する、デバイス。
【請求項２】
前記電源状態が、電源オフ、電源オン、及びスタンバイモードのいずれかを含む、請求項１に記載のデバイス。
【請求項３】
前記制御モジュールが、前記１つ又は複数のサブシステムの前記電源状態を変更するためパラメータを制御するよう構成される自動的な電源管理モジュールを含む、請求項１に記載のデバイス。
【請求項４】
前記自動的な電源管理モジュールからの入力に基づき、前記１つ又は複数のサブシステムの前記電源状態を修正するよう構成される電源制御モジュールを更に有する、請求項１に記載のデバイス。
【請求項５】
前記１つ又は複数のサブシステムが、測定モジュール、プリンタ及びディスプレイの１つ又は複数を含む、請求項１に記載のデバイス。
【請求項６】
前記ユーザ活動検出モジュールが、ユーザ及び前記デバイスの間の物理的相互作用を含むユーザ活動を検出する、請求項１に記載のデバイス。
【請求項７】
前記臨床活動検出モジュールが、患者との相互作用、前記患者に関する器材の準備、患者パラメータの測定を含む臨床関連活動を検出する、請求項１に記載のデバイス。
【請求項８】
前記１つ又は複数のサブシステムの前記電源状態を変更するため、ユーザがパラメータをセットすることを可能にするよう構成されるインタフェースを更に有する、請求項１に記載のデバイス。
【請求項９】
前記デバイスの全体の作動状態が、ユニットとして制御可能であり、スタンバイ機能を持つすべてのサブシステムは、任意のシステムレベル活動又は非活動に基づき、同時に電源オン又はオフにされる、請求項１に記載のデバイス。
【請求項１０】
前記デバイスが、モニタ、除細動器又はこれらの組み合わせを含む、請求項１に記載のデバイス。
【請求項１１】
緊急医療デバイスであって、
前記デバイスの１つ又は複数のサブシステムに電力供給するよう構成される電源であって、前記１つ又は複数のサブシステムが、スタンバイモードを持つ少なくとも１つのモジュールを含む、電源と、
前記１つ又は複数のサブシステムに結合され、自動的な電源管理モジュールを含む制御モジュールであって、前記制御モジュールが、前記１つ又は複数のサブシステムの電源状態を変更するためパラメータを制御するよう構成され、前記１つ又は複数のサブシステムの前記電源状態は、ユーザ活動検出モジュール及び臨床活動検出モジュールの少なくとも１つにおいて検出される活動に基づき変えられ、前記ユーザ活動検出モジュールが、前記１つ又は複数のサブシステムにおけるユーザ活動を検出するよう構成され、前記臨床活動検出モジュールは、前記１つ又は複数のサブシステムにおける臨床活動を検出するよう構成される、制御モジュールとを有する、デバイス。
【請求項１２】
前記自動的な電源管理モジュールが、前記ユーザ活動検出モジュール及び前記臨床活動検出モジュールの少なくとも１つにおいて検出される非活動に基づき、前記１つ又は複数のサブシステムを独立して電源オフにする制御を行うよう構成される、請求項１１に記載のデバイス。
【請求項１３】
前記自動的な電源管理モジュールからの入力に基づき、前記１つ又は複数のサブシステムの前記電源状態を修正するよう構成される電源制御モジュールを更に有する、請求項１１に記載のデバイス。
【請求項１４】
前記１つ又は複数のサブシステムが、測定モジュール、プリンタ及びディスプレイを含む、請求項１１に記載のデバイス。
【請求項１５】
前記ユーザ活動検出モジュールが、ユーザ及び前記デバイスの間の物理的相互作用を含むユーザ活動を検出する、請求項１１に記載のデバイス。
【請求項１６】
前記臨床活動検出モジュールが、患者との相互作用、前記患者に関する器材の準備、患者パラメータの測定を含む臨床関連活動を検出する、請求項１１に記載のデバイス。
【請求項１７】
前記１つ又は複数のサブシステムの前記電源状態を変更するため、ユーザがパラメータをセットすることを可能にするよう構成されるインタフェースを更に有する、請求項１１に記載のデバイス。
【請求項１８】
前記デバイスの全体の作動状態が、ユニットとして制御可能であり、スタンバイ機能を持つすべてのサブシステムは、任意のシステムレベル活動又は非活動に基づき、同時に電源オン又はオフにされる、請求項１１に記載のデバイス。
【請求項１９】
前記デバイスが、モニタ、除細動器又はこれらの組み合わせを含む、請求項１１に記載のデバイス。
【請求項２０】
医療デバイスの電源管理に関する方法において、
前記デバイス上で実行される１つ又は複数のユーザ活動及び／又は１つ又は複数の臨床活動に応答するよう制御モジュールを構成するステップと、
前記デバイス、及び前記デバイスの１つ又は複数のサブシステムの少なくともいずれかの電源状態を変更するための条件が満たされるかを決定するため、ユーザ活動及び臨床活動を検出するステップと、
前記検出されるユーザ活動及び臨床活動に基づき、前記デバイス全体及び前記１つ又は複数のサブシステムの少なくともいずれかの前記電源状態を変えるステップとを有する、方法。
【発明の詳細な説明】
【技術分野】
【０００１】
本開示は、医療器具に関し、より詳細には、バッテリ寿命を改善し、電力消費を減らし、臨床使用のための立ち上げ時間を減らす自動的なパワーマネジメントを備える除細動器／モニタに関する。
【背景技術】
【０００２】
体外式除細動器は、バッテリ電源で、又は外部のＡＣ若しくはＤＣ電源を介して供給される電源で作動することができる。現在の製品においては、ユーザは、デバイスを手動でオン／オフすることにより、直接電源を制御する。概して、システムプロセッサが、スタートアップセルフ試験を起動、初期化及び実行するのに、少なくとも５〜１０秒の電源投入時間が存在する。更に、完全な精度を実現するため、いくつかのサブシステムをウォームアップするのに数分を要する可能性がある。
【発明の概要】
【発明が解決しようとする課題】
【０００３】
より新規の除細動器／モニタデバイスは、電源制御に関して複雑さを増している。モジュラ概念が、除細動器／モニタシステムに適用され、その結果、ユーザによりオン／オフされることを必要とする複数のバッテリ駆動モジュールが提供される場合がある。これは、ユーザにとってかなり多くのステップを作りだし、いくつかのステップを省略してしまう可能性を生み出す。例えば、モジュールの１つ又は複数が電源オンにされない場合、システムがなぜ作動しないかをユーザが決定しようとする間、貴重な時間が失われる可能性がある。更に、モジュールの１つが不注意で電源オフにされない場合、それは、電池を減少させ、緊急看護で必要とされるとき使用することができない。
【課題を解決するための手段】
【０００４】
本原理によれば、緊急医療デバイスは、上記デバイスの１つ又は複数のサブシステムに電力供給するよう構成される電源を含む。ユーザ活動検出モジュールは、上記１つ又は複数のサブシステムにおけるユーザ活動を検出するよう構成され、臨床活動検出モジュールは、上記１つ又は複数のサブシステムにおいて臨床活動を検出するよう構成される。制御モジュールは、上記１つ又は複数のサブシステムに結合され、上記ユーザ活動検出モジュール及び上記臨床活動検出モジュールの少なくとも１つにおいて検出される活動に基づき、上記１つ又は複数のサブシステムの電源状態を変えるよう構成される。
【０００５】
緊急医療デバイスは、上記デバイスの１つ又は複数のサブシステムに電力供給するよう構成される電源であって、上記１つ又は複数のサブシステムが、スタンバイモードを持つ少なくとも１つのモジュールを含む、電源と、上記１つ又は複数のサブシステムに結合され、自動的な電源管理モジュールを含む制御モジュールとを含む。上記制御モジュールが、上記１つ又は複数のサブシステムの電源状態を変更するためパラメータを制御するよう構成される。上記１つ又は複数のサブシステムの上記電源状態は、ユーザ活動検出モジュール及び臨床活動検出モジュールの少なくとも１つにおいて検出される活動に基づき変えられる。ここで、上記ユーザ活動検出モジュールは、上記１つ又は複数のサブシステムにおけるユーザ活動を検出するよう構成され、上記臨床活動検出モジュールは、上記１つ又は複数のサブシステムにおける臨床活動を検出するよう構成される。
【０００６】
医療デバイスの電源管理に関する方法が、上記デバイス上で実行される１つ又は複数のユーザ活動及び／又は１つ又は複数の臨床活動に応答するよう制御モジュールを構成するステップと、上記デバイス、及び上記デバイスの１つ又は複数のサブシステムの少なくともいずれかの電源状態を変更するための条件が満たされるかを決定するため、ユーザ活動及び臨床活動を検出するステップと、上記検出されるユーザ活動及び臨床活動に基づき、上記デバイス全体及び上記１つ又は複数のサブシステムの少なくともいずれかの上記電源状態を変えるステップとを含む。
【０００７】
上記電源状態は、電源オフ状態、電源オン状態、及びスタンバイモードのいずれかを含むことができる。上記１つ又は複数のサブシステムが、測定モジュール、プリンタ及びディスプレイの１つ又は複数を含むことができる。ユーザ活動は、ユーザとデバイスとの間の物理的相互作用を含むことができ、臨床活動は、患者との臨床的相互作用、上記患者に関する器材の準備、患者パラメータの測定を含むことができる。上記制御モジュールを構成することが、上記電源状態を変更するため、ユーザがパラメータをセットすることを可能にすることを含むことができる。デバイスは、モニタ、除細動器又はこれらの組み合わせを含むことができる。
【図面の簡単な説明】
【０００８】
【図１】ある実施形態による除細動器／モニタデバイスを示すブロック／フロー図である。
【図２】ある実施形態による除細動器に関する電源制御モジュール及びこれにより電力供給されるモジュールを示すブロック／フロー図である。
【図３】例示的な実施形態による除細動器を作動させるシステム／方法を示すブロック／フロー図である。
【発明を実施するための形態】
【０００９】
本開示におけるこれら及び他の目的、特徴及び利点は、添付の図面と共に参照される、その説明的な実施形態の以下の詳細な説明から明らかになる。
【００１０】
本開示は、以下の図面を参照して好ましい実施形態の以下の説明を詳細に提供する。
【００１１】
本原理によれば、除細動器又はモニタの電源をオンにする際の有用性問題を緩和するため、自動化された電源管理機能が与えられる。これは、全体のシステムをより使いやすくし、緊急看護に対するシステムの準備性を改良する。自動化された電源管理に関する現在の技術は、除細動器又はモニタの使用パターンにうまく適合していない。ユーザ非活動は、多くの家電デバイスが電源節約モードに入るのに使用する主なトリガーである。電源節約モードは、デバイスにおける電力の最大消費者の１つであるディスプレイ画面の電源をオフにする。除細動器又はモニタにおいて、見かけ上ユーザ非活動が長い期間続く間でも、スクリーン上に表示されるバイタルサインデータが必要とされることがある。更に、ユーザは、例えば高心拍、低血圧又は患者のＥＣＧにおいて検出される不整脈のようなより複雑な状態といった生理的警報状態を連続してチェックするため、除細動器／モニタに頼る。従って、除細動器／モニタの自動的な電源管理を単純なユーザ非活動測定基準に依存して行うことはできない。
【００１２】
役立つ実施形態によれば、自動的な電源節約モード切り替えを起動するのに、ユーザ活動に加えて臨床活動が使用される。臨床活動手段は、以下の１つ又は複数を含むことができる。１）治療パッド又はパドルが、デバイスから患者に付けられること、２）心電図（ＥＣＧ）リードが、デバイスから患者に付けられること、有効なＥＣＧデータが、パッド、パドル又はＥＣＧリードから受信されること、有効なＰｌｅｔｈ波信号が、Ｓｐ０２センサから受信されること、有効なカプノグラムが、ＥｔＣ０２センサから受信されること、デバイスに接続される心肺蘇生術（ＣＰＲ）コーチングセンサで圧縮が検出されること、測定システムを作動させること等である。
【００１３】
特定のサブシステムの電源オフをトリガーするのに使用される臨床活動のレベルは、それらのサブシステムを電源オンにするものとは異なる必要がある。誤った非活動検出を防止するため、この規則は電源オフのための高い閾値を提供する必要がある。サブシステムを再起動するための規則は、すべての活動状態が検出されることを確実にするため、より低い閾値を使用する。例えば、デバイスにＥＣＧリードを付けることは、ＥＣＧモニタリング機能を電源オンにするのに十分な条件である。しかしながら、ＥＣＧモニタリング機能の電源を切ることは、ＥＣＧリード及び例えばパッド又はパドルといった他のＥＣＧソースの両方を取り外すことを必要とすることができる。ユーザ活動は、ノブを回す、ボタンを押す、又は、遠隔使用のためモジュールのドッキングを解除する等のデバイスの任意の直接的又は肯定的な制御を含む。
【００１４】
所定の時間期間においてユーザ活動及び臨床活動がともに存在しない場合にのみ、デバイスは電源節約モードに入る。作動の電源節約モードにある間、デバイスは、デバイスが自動的に再起動される必要があるかを決定するため、ユーザ活動及び特定のタイプの臨床活動を検知し続ける。
【００１５】
ユーザ又は臨床活動を検出する機構は、超低電源消費量を持つよう設計される。デバイスがすぐに起動されることができる動作のスタンバイモードにおいて、プロセッサ及びメモリは、電源をオンにされ続けることを必要とする点に留意されたい。従って、ユーザ及び臨床活動検出メカニズムは、これらの作動中の処理要素を利用することができる。例えば、デバイスは、負荷が特定の治療ポートピンの間の接続されるときを検出する単純な入力／出力方法を用いることにより、パッドケーブルがデバイスに接続されるときを検出することができる。
【００１６】
本原理によるシステムは、電源節約モードにおいて作動する間、即時オン機能を提供する。従って、ユーザ活動又は臨床活動の新たな発生のちょうど前にシステムが電源節約モードに入る場合、回復は瞬間的である。自動化された電源管理は、緊急医療デバイスにおいて必要とされる高水準の堅牢性を提供する。なぜなら、デバイスによりなされる自動化された電源節約処理が、即時オン機能を介してユーザによりすぐに反転されることができるからである。ある実施形態において、特定タイプの非活動に基づかれる複数の電源節約モード及びスイッチが、使用されることができる。例えば、（ユーザから、又は、例えば不整脈警報のような自動印刷機能からの）印刷リクエストがない場合、プリンタの電源はオフにされる。ユーザに対して全て透過的な印刷リクエストが発生する場合、プリンタの電源は回復される。患者搬送のような長期の患者モニタリングでは、ディスプレイ及びプリンタをオフにするが、患者警報状態をモニタし続け、警報状態が検出される場合、システムを自動的に再起動する電源節約モードで、かなりのバッテリーパワーが節約される。
【００１７】
本発明は、医療器具に関して表されるが、本発明の教示は、非常に広く、電力消費を減らすことを必要とする任意のバッテリデバイスに適用できる点を理解されたい。いくつかの実施形態において、本原理は、病院又は緊急車両において、家において、公共の場所などにおいて使用される除細動器／モニタにおいて採用される。図面に示される要素は、ハードウェア及びソフトウェアの様々な組合せにおいて実現されることができ、単一の要素又は複数の要素において組み合わせられることができる機能を提供することができる。
【００１８】
図面に示されるさまざまな要素の機能は、専用ハードウェアの使用を介してというだけでなく、適切なソフトウェアに関連してソフトウェアを実行することができるハードウェアの使用を介して与えられることができる。プロセッサ又はコントローラにより提供されるとき、この機能は、単一の専用プロセッサにより、単一の共有プロセッサにより、又は複数の個別のプロセッサにより与えられることができる。個別のプロセッサの幾つかは、共有されることができる。更に、「プロセッサ」又は「コントローラ」という用語の明確な使用は、ソフトウェアを実行することができるハードウェアを排他的に参照するものとして解釈されるべきではなく、デジタル信号プロセッサ（「ＤＳＰ」）ハードウェア、ソフトウェアを格納する読出し専用メモリ（「ＲＯＭ」）、ランダムアクセスメモリ（「ＲＡＭ」）及び不揮発性ストレージを暗に含むが、これらに限定されるものではない。
【００１９】
更に、本発明の原理、側面及び実施形態並びにその特別の実施例を述べる本書におけるすべての記載は、その構造的及び機能的均等の範囲の両方を含むものとして意図される。更に、斯かる均等物が、現在既知の均等物だけでなく将来開発される均等物の両方を含む。即ち、構造に関係なく、同じ機能を実行すべく開発される任意の要素を含む。従って、例えば、本願明細書に与えられるブロック図は、本開示の原理を実現する説明的な回路の概念表示を表すという点を当業者は理解されたい。同様に、任意のフローチャート、流れ図、状態遷移図、擬似コード等は、コンピュータ可読媒体において実質的に表されるさまざまな処理を示し、従って、コンピュータ又はプロセッサが明示的に示されるかどうかに関係なく、斯かるコンピュータ又はプロセッサにより実行される点を理解されたい。
【００２０】
更に、本発明の実施形態は、コンピュータ若しくは任意の命令実行システムによる使用又はこれに関連した使用のためのプログラムコードを提供する、計算機が使用可能な又はコンピュータ可読のストレージ媒体から、アクセス可能なコンピュータプログラムの形をとる又はこれを含むことができる。この説明のため、計算機が使用可能な又はコンピュータ可読ストレージ媒体は、命令実行システム、装置又はデバイスによる使用又はこれに関連した使用のためのプログラムを、包含、格納、通信、伝搬、又は輸送することができる任意の装置とすることができる。媒体は、電気、磁気、光学、電磁気、赤外線若しくは半導体システム（又は、装置若しくはデバイス）、又は伝搬媒体とすることができる。コンピュータ可読媒体の例は、半導体又はソリッドステートメモリ、磁気テープ、リムーバブルコンピュータディスケット、ランダムアクセスメモリ（ＲＡＭ）、読出し専用メモリ（ＲＯＭ）、リジッド磁気ディスク及び光学ディスクを含む。光学ディスクの現在の例は、読出し専用コンパクトディスク（ＣＤ−ＲＯＭ）、読出し／書込みコンパクトディスク（ＣＤ−Ｒ／Ｗ）、Ｂｌｕ−ｒａｙ（登録商標）及びＤＶＤを含む。
【００２１】
ここで同様な数字が同じ又は類似する要素を表す図面を参照し、まず最初に図１を参照すると、ブロック／フロー図が、例えば、一実施形態による除細動器、モニタ又はこの組み合わせである緊急医療デバイス１０を示す。除細動器／モニタデバイス１０は、例えば、例えばバッテリもしくは電池、ＤＣ電源又はＡＣ電源といった電源１２を含む。治療供給回路２０は、ショック供給デバイス２４に供給されるエネルギー量及びパルスの形状を制御する。これは、パッド又はパドルを含むことができる。治療供給回路２０が、充電及び放電を可能にするため、治療コンデンサ２２へのアクセスを提供する。除細動器／モニタデバイス１０は、他の電子機器又はソフトウェアプログラム１８を含むことができる。電子機器１８は、例えばクロック、タイマー、電源測定デバイス、ライト、ディスプレイ等の他の特徴を含むことができる。モニタリングデバイス機能３６は、心電図記録（ＥＣＧ）デバイス、酸素飽和デバイス（Ｓｐ０２）、非侵襲性血圧デバイス（ＮＢＰ）、カプノグラフィデバイス（ＥｔＣ０２）、温度デバイス及びその他を含むことができる。
【００２２】
除細動器／モニタデバイス１０がショックを供給する必要があるとき、治療供給回路２０は、バッテリ又は電池１２（又はＡＣ若しくはＤＣ電源）から電流を送ることにより治療コンデンサ２２を充電する。ユーザがエネルギーのリリースを始動するとき、治療コンデンサ２２において格納されたエネルギーが、患者の胸部に置かれるパッド又はパドル２４を介して放出される。
【００２３】
除細動器／モニタデバイス１０は、コントロール回路又はモジュール３０を含む。これは、１つ又は複数のプロセッサ３４及びメモリ３２を含むことができる。制御モジュール３０は、除細動器／モニタ１０の他のモジュール又は機能の動作及び機能を制御する。
【００２４】
除細動器／モニタデバイス１０は、除細動器／モニタシステムの使用を単純化し、電池動作時間を延長するためエネルギーを節約する自動的な電源管理メカニズム４０の組み合わせを含む。除細動器／モニタデバイス１０は、該当する場合（例えば、システムプロセッサ又はコンピュータ処理ユニット（ＣＰＵ）３４上でリアルタイムオペレーティングシステムを起動するといった）冗長なプロセッサ起動時間を回避するため、即時電源オン機能を持つ選択されたサブシステムに関する電源節約スタンバイモードを提供する。除細動器／モニタデバイス１０は、該当する場合（例えば、呼気終末Ｃ０２測定モジュールといった）冗長なウォームアップ時間を回避する又は減らし、センシング回路又はデバイス１６を用いてユーザ又は臨床活動をモニタするため低電力機構４０を提供する。除細動器／モニタデバイス１０は、有意な起動又はウォームアップ時間なしに電源をオンにされることができる（例えば、プリンタ、非侵襲性の血圧測定モジュール等の）選択されたモジュールに関する独立した電源制御を提供する。
【００２５】
ユーザ又は臨床活動を検出する低電力メカニズム４０は、ボタンを押す、タッチスクリーンにタッチする、ノブを回す、治療又は測定ケーブルをデバイスに接続する、分離可能なシステムモジュールのドッキングを解除する等のユーザ活動を含むことができる。臨床活動は、患者上にＥＣＧリードを置く、患者上に治療パッド若しくはパドル２４を置く、有効なＥＣＧ信号を得る、又は心肺蘇生術（ＣＰＲ）センサを介して心臓マッサージを検出すること等を含むことができる。
【００２６】
除細動器／モニタデバイス１０は、ユーザ及び／又は臨床活動が検出されるとき、スタンバイモードを自動的に切り替え（即時オン）、モジュールの電源をオンにするよう構成される。除細動器／モニタデバイス１０は、ユーザ非活動及び臨床非活動の間隔の後、スタンバイモードに自動的に切り替わり、モジュールの電源を切るよう構成される。他の実施態様において、電源オフにする又はスタンバイに切替えることは、特定の制限されたタイプのユーザ非活動及び臨床非活動に関して、システムの部分に対して選択的に実行される。例えば、印刷リクエストがないとき、プリンタは電源を切られ、活動がないとき、手動で制御されたバイタルサイン測定モジュールは電源を切られ（例えば、非侵襲性の血圧モジュール）、患者に接続されないとき、バイタルサイン測定モジュールは、電源節約スタンバイモードに切替えられ（例えば、呼気終末タイダルＣ０２モジュールに接続されるセンサーケーブルがない場合）、治療が供給されることができないモードにおいてデバイスが動作しているとき、治療供給回路が電源オフにされる（例えば、モニタモードでは、ショックは供給されることができない）。
【００２７】
これらの自動的な電源管理特徴４０の組み合わせは、必要なときに、デバイスがすぐに作動されることができ、デバイスが、使用のとき誤って電源オフにならない、及びバッテリーパワーの消費が減らされることを確実にする。
【００２８】
図２を参照すると、ブロック図は、本原理による制御モジュール３０及び電源管理モジュール／自動電源管理モジュール４０に関する例示的なハードウェア実施形態を示す。制御モジュール３０は、デバイス機能を制御し、とりわけ、「オン」から「スタンバイ」への遷移をもたらすよう作動状態を制御する処理器、メモリ及びソフトウェアを提供する。電源制御４４は、例えば、スイッチ及びコネクタといった特定のサブシステムをオン／オフにするハードウェアを含む。
【００２９】
制御モジュール３０は、自動的な電源管理モジュール４０を含む。任意の数の独立して電力供給されるデバイスのサブシステム４６又は例えば、プリンタ６４、治療供給２０、ディスプレイ５８等の他のデバイスを電源オンにするのに、電源制御モジュール４４が作動されるべきかを決定するため、自動的な電源管理モジュール４０は複数の異なるモジュールから入力を受信する。
【００３０】
これの説明的な例は、正面パネルボタンを押すといったユーザ活動を検出することを含む。ユーザインタフェース制御６０は、ボタン押圧を検出し、制御モジュール３０に信号を送る。この信号は、除細動器／モニタ機能制御モジュール６２により処理される。更に、この信号は、このボタン押圧がデバイス（デバイスがスタンバイ状態にある場合）の１つ又は複数のサブシステムを作動させる又は非活動タイマーをリセットするかを決定するため、ユーザ活動モニタリングモジュール５６に渡される。
【００３１】
臨床活動モニタリングの説明的な例は、バイタルサイン測定データを取得及び処理し、表示などのため除細動器／モニタ機能制御６２にこのデータを送信する測定サブシステム４６を含む。更に、有効なＥＣＧ信号の最初の取得といった臨床処理が、この取得がデバイス（デバイスがスタンバイ状態にある場合）の１つ又は複数のサブシステムを作動させる又は非活動タイマーをリセットするかを決定するため、臨床活動モニタリングモジュール５４に信号通知される。
【００３２】
スタンバイモードを持つモジュール５０及び／又は独立電源制御を持つモジュールが、機能制御モジュール６２を用いて制御される。電源制御モジュール４４は、モジュール５０に関してスタンバイモードを制御し、各サブシステム４６、ディスプレイ５８、プリンタ６４等に関して独立して電源オン又はオフを切替える。自動的な電源管理モジュール４０は、ユーザ活動及び臨床活動に関するタイマーを提供し、ユーザ活動検出デバイス又は回路５６から、及び臨床活動モニタリングデバイス又は回路５４から入力を受信する。非活動期間閾値が超えられるとき、サブシステム４６は、スタンバイモードに切替えられるか、又はサブシステム４６の機能に基づき、電源オフにされる。同様に、新たなユーザ又は臨床活動が、ブロック５６及び／又は５４において検出されるとき、対応するサブシステム４６又は他のデバイスが、自動的にオンにされる。
【００３３】
除細動器／モニタデバイス１０のサブシステム４６は例えば、呼気終末Ｃ０２測定モジュール、プリンタ６４、非侵襲性の血圧測定モジュール、ディスプレイ５８、バイタルサイン測定モジュール、治療供給回路などを含むことができる。各サブシステム４６は、そのサブシステム４６に特有なユーザ又は臨床活動を測定する局所センサを含むことができる。サブシステム４６が無活動であると決定されるとき、サブシステム４６は、その機能及びそのサブシステム４６にとってそうすることの利点に基づき、電源オフにされる、又はスタンバイモードに入る。電源オフ又はスタンバイモードは、追加的なユーザ又は臨床活動又はこの両方の組み合わせに基づき、反転されることができる。例えば、ユーザ活動（例えば、パドルのためリードを差し込む）及び臨床活動（例えば、患者上に治療パッド又はパドル２４を置く）の両方が、スタンバイモードから切り替えるために必要とされる場合がある。
【００３４】
ある実施形態において、電源オフ及びスタンバイモードの組み合わせ及び態様（例えば、非活動時間等）は、ユーザインタフェース６０を用いてユーザによりプログラムされることができる。インタフェース６０は、ディスプレイ５８（タッチスクリーンを含むことができる）及び／又は例えばボタン、ノブ、キーボード、マウス、ジョイスティックなどの別のデータ入力デバイス６０を含むことができる。ディスプレイ５８、プロセッサ３４等は、同様に電源オフモードを含むことができ、自動的な電源管理モジュール４０に基づき制御されることができる点に留意されたい。
【００３５】
各サブシステムに特有な異なる条件及び警報のセットアップを可能にするため、データ構造３５が、メモリ３２（図１）に格納されることができる。これらの条件及び警報は、ユーザによりカスタマイズされることができる、又はデフォルトパラメータが使用されることができる。パラメータは、あるタイプの活動、使用若しくは非活動の持続期間、使用の頻度、又はデバイス１０の全体として若しくはサブシステムの任意の１つ若しくは複数として、デバイス１０の活動状態を決定することに役立つ他の任意の関連する情報を含むことができる。他パラメータも、同様に想定される。
【００３６】
個別のサブシステム４６に対する電源を制御することに加えて、デバイス１０の全体の作動状態が、ユニットとして制御されることができる。例えば、スタンバイ機能を持つすべてのサブシステムが、任意のシステムレベルの活動又は非活動に基づき同時に電源オン又はオフにされることができる。
【００３７】
図３を参照すると、ブロック／フロー図が、本原理による除細動器／モニタの電源管理に関する方法を示す。ブロック１０２において、制御モジュールが、除細動器上で実行される１つ又は複数のユーザ活動及び／又は１つ又は複数の臨床活動に応答するよう構成される。これは、取るアクションに対して検出される活動をインデックス化するため、データ構造（３５）、例えばルックアップテーブル等を、メモリ（３２）にセットアップすることを含むことができる。こうして、複数の電源オフ、電源オン及び／又はスタンバイモードが、除細動器全体に対して、又は１つ又は複数のサブシステムに対してセットされることができる。ブロック１０４において、ユーザは、電源状態を変えるためパラメータをセットする、又はデフォルト設定を修正することを可能にされる。
【００３８】
ブロック１０６において、除細動器の、及び除細動器の１つ又は複数のサブシステムの少なくともいずれかの電源状態を変える条件が満たされるかを決定するため、ユーザ活動及び臨床活動が検知される。１つ又は複数のサブシステムは、測定モジュール、プリンタ、ディスプレイなどを含むことができる。他のサブシステムも想定される。電源状態は、電源オフ、電源オン、及びスタンバイモードのいずれかを含むことができる。状態は、どれくらいの量の電源が減らされたかの尺度を、例えば、パーセンテージの形で含むこともできる。
【００３９】
ブロック１０８において、除細動器及び１つ又は複数のサブシステムの少なくともいずれかの電源状態が、検知されるユーザ活動及び臨床活動に基づき変更又は修正されることができる。ユーザ活動は、ユーザ及び除細動器の間の物理的相互作用を含み、臨床活動は、患者との相互作用、患者に関する器材の準備、患者のパラメータの測定を含む。他の活動も想定される。
【００４０】
添付の特許請求の範囲を解釈するにあたり、以下の点を理解されたい。
【００４１】
ａ）「有する」という語は、所与の請求項に記載される要素又は行為以外の他の要素又は行為の存在を除外するものではない。
【００４２】
ｂ）ある要素に先行する「ａ」又は「ａｎ」という語は、斯かる要素が複数存在することを除外するものではない。
【００４３】
ｃ）請求項における任意の参照符号は、それらの範囲を制限するものではない。
【００４４】
ｄ）複数の「手段」が、同じアイテム、又は、ハードウェア、又はソフトウェア実現による構造体、又は機能により表されることができる。
【００４５】
ｅ）特に指定がない限り、行為の特定のシーケンスが必要とされること意図するものではない。
【００４６】
体外式除細動器に関する自動的な電源管理に関して好ましい実施形態が説明されたが（これは、説明のためであり限定を意図するものではない）、上記の教示を考慮して修正及び変更が当業者によりなされることができる点に留意されたい。従って、添付の特許請求の範囲により概説され開示される実施形態の範囲に含まれるものとして、本開示の特定の実施形態において変更がなされることができる点を理解されたい。こうして、本開示の内容が特許法により必要とされる範囲で詳細に記載されてきたが、特許証により保護されることを望む保護の請求は、添付の特許請求の範囲に記載される。
【図１】
2016519977.tif 000003
【図２】
2016519977.tif 000004
【図３】
2016519977.tif 000005
【国際調査報告】
2016519977.tif 000006
2016519977.tif 000007
2016519977.tif 000008